(57)【要約】  デジタル購読装置は、各々表示画面を有する１対のタブレット部分を備え、タブレットは、表示画面が保護され、見えない閉位置と、画面が隣り合い、互いと同一平面上にあり、それにより本のような閲覧領域を提示する開位置との間で、互いに対して折り曲げることが可能である。遠隔の供給源から、単位またはページに分離可能なテキストおよびグラフィックを受信し、前記テキストおよびグラフィックを前記表示画面に表示する受信機が提供される。遠隔の供給源から受信されたテキストおよびグラフィックは、メモリに記憶されることができる。テキストおよびグラフィックをメモリに記憶し、テキストおよびグラフィックを読むために単純なナビゲーション・キーのセットが提供される。
2011503672.tif 000002
【特許請求の範囲】
【請求項１】
各々表示画面を有する１対のタブレット部分であって、前記タブレットは、前記表示画面が保護され、見えない閉位置と、前記画面が隣り合い、互いと同一平面上にあり、それにより本のような閲覧領域を提示する開位置と、の間で、互いに対して折り曲げることが可能であるタブレット部分と、
遠隔の供給源から、単位またはページに分離可能なテキストおよびグラフィックを受信し、前記テキストおよびグラフィックを前記表示画面に表示する受信手段と、
前記遠隔の供給源から受信された前記テキストおよびグラフィックを記憶するメモリと、
前記テキストおよびグラフィックを前記メモリに記憶し、前記テキストおよびグラフィックを読むための単純なナビゲーション・キーのセットと、
を備えるデジタル購読装置。
【請求項２】
前記受信手段は、ＷｉＦｉ、衛星、および／または広帯域信号からテキストおよびグラフィックを受信するように構成される、請求項１に記載のデジタル購読装置。
【請求項３】
前記テキストおよび／またはグラフィックは、新聞の版、書籍、雑誌、および専門誌の１つまたは複数を含む、請求項１に記載のデジタル購読装置。
【請求項４】
前記ナビゲーション・キーは、前記画面上で前記画面の前記テキストおよびグラフィックを上下に移動するための上／下のキー群と、それぞれ、前記テキストおよび／またはグラフィックの前のページを連続的に再度閲覧する、または次のページに進むための左／右のキー群とを備える、請求項１に記載のデジタル購読装置。
【請求項５】
前記ナビゲーション・キーは、前記テキストおよびグラフィック中の１つまたは複数の写真を起動して、当該写真に関連付けられた映像ストリームを表示するための写真キーを備える、請求項１に記載のデジタル購読装置。
【請求項６】
前記ナビゲーション・キーは、前記遠隔の供給源から受信されたテキストおよびグラフィックを前記メモリに保存する保存キーを備える、請求項１に記載のデジタル購読装置。
【請求項７】
前記ナビゲーション・キーは、受信されたテキストおよびグラフィックの存在を知らせる処理可能照明およびキー群を備える、請求項１に記載のデジタル購読装置。
【請求項８】
前記ナビゲーション・キーは、前記受信手段によって受信されたテキストおよびグラフィックを受諾または拒絶するための受諾／拒絶キー群を備える、請求項７に記載のデジタル購読装置。
【請求項９】
遠隔の供給源に信号を送信して、前記受信手段に送信されるテキストまたはグラフィックの入手可能性を調べる送信機をさらに備える、請求項１に記載のデジタル購読装置。
【請求項１０】
前記受信手段は、プログラムされた周期方式で、前記遠隔の供給源からテキストおよびグラフィックを受信するように自動的に設定される、請求項１に記載のデジタル購読装置。
【請求項１１】
各タブレットは、対向する平坦な側面と、長い端部と、短い端部とを有する実質的に矩形の箱型枠構造を備え、前記表示画面は、前記対向する側面の一方に形成される、請求項１に記載のデジタル購読装置。
【請求項１２】
前記タブレット各々の前記長い端部の１つは、ロック部材を備え、前記タブレット各々の前記ロック部材は、互いと解放可能にロックされて、前記閉位置と前記開位置との間で前記タブレットを構成することができる、請求項１１に記載のデジタル購読装置。
【請求項１３】
前記タブレット各々の前記長い端部の１つの上に電気接触をさらに備え、前記電気接触は、前記２つのタブレットの間に電気接触を確立するために、前記タブレットが前記開位置にあるときに互いと係合する、請求項１２に記載のデジタル購読装置。
【請求項１４】
前記デジタル購読装置を操作するために、前記表示画面の少なくとも１つに表示されることが可能な少なくとも１つのナビゲーション・アイコンをさらに備える、請求項１に記載のデジタル購読装置。
【請求項１５】
前記ナビゲーション・アイコンは、触れることによって起動される、請求項１４に記載のデジタル購読装置。
【請求項１６】
前記ナビゲーション・アイコンは、前記ナビゲーション・キーの１つまたは複数によって起動される、請求項１４に記載のデジタル購読装置。
【請求項１７】
前記少なくとも１つのナビゲーション・アイコンは、受信されたテキストおよびグラフィックを受諾するためのアイコンと、受信されたテキストおよびグラフィックを拒絶するためのアイコンを備える、請求項１４に記載のデジタル購読装置。
【請求項１８】
前記受信手段はさらに、音声およびオーディオを受信することができ、前記デジタル購読装置はさらに、ユーザによる適切な指示で前記音声およびオーディオを再生するスピーカを備える、請求項１に記載のデジタル購読装置。
【請求項１９】
前記装置をコンピュータに接続するための電気コネクタをさらに備える、請求項１に記載のデジタル購読装置。
【請求項２０】
前記遠隔の供給源からのテキストおよびグラフィックの受信を助けるアンテナをさらに備える、請求項１に記載のデジタル購読装置。
【請求項２１】
前記装置に電力を供給する充電可能バッテリをさらに備える、請求項１に記載のデジタル購読装置。
【請求項２２】
マルチメディア・カード、または挿入されたカードからの他のデータを受け付けるためのマルチメディア・カード・スロットをさらに備える、請求項１に記載のデジタル購読装置。
【請求項２３】
前記装置と前記遠隔の供給源との間の安全性を保証するセキュリティ・コードをさらに備える、請求項１に記載のデジタル購読装置。
【請求項２４】
指定された遠隔の供給源からのテキストおよびグラフィックの継続的な受信を選択的に制御するために定期購読データをプログラムするための手段をさらに備える、請求項１に記載のデジタル購読装置。
【請求項２５】
閲覧を強化するために、テキストの色、背景、または拡大を制御する手段をさらに備える、請求項１に記載のデジタル購読装置。
【請求項２６】
本のような閲覧領域を提示する表示画面と、
遠隔の供給源から、単位またはページに分離可能なテキストおよびグラフィックを受信し、前記テキストおよびグラフィックを前記表示画面に表示する受信手段と、
前記遠隔の供給源から受信された前記テキストおよびグラフィックを記憶するメモリと、
前記テキストおよびグラフィックを前記メモリに記憶し、前記テキストおよびグラフィックを読むための単純なナビゲーション・キーのセットと
指定された遠隔の供給源からのテキストおよびグラフィックの継続的な受信を選択的に制御するために定期購読データをプログラムするための手段と
を備えるデジタル購読装置。
【請求項２７】
デジタル表示装置上でテキストおよびグラフィックを読む方法であって、
各々表示画面を有する１対のタブレット部分を形成することであって、前記タブレットは、前記表示画面が保護され、見えない閉位置と、前記画面が隣り合い、互いと同一平面上にあり、それにより本のような閲覧領域を提示する開位置と、の間で、互いに対して折り曲げることが可能である、形成することと、
遠隔の供給源から、単位またはページに分離可能なテキストおよびグラフィックを受信し、前記テキストおよびグラフィックを前記表示画面に表示することと、
前記遠隔の供給源から受信され、ユーザによって受諾された前記テキストおよびグラフィックを記憶するメモリを提供することと、
単純なナビゲーション・キーのセットを用いて、前記テキストおよびグラフィックを前記メモリに記憶し、前記テキストおよびグラフィックを読むことと、
を備える方法。
【請求項２８】
表示画面であって、前記表示画面が保護され、見えない閉位置と、前記表示画面が本のような閲覧領域を提示する開位置と、の間で、折り曲げることが可能である表示画面と、
前記装置により単位またはページに分離可能なダウンロード可能資料を遠隔の供給源から受信し、前記資料を前記表示画面に表示する受信手段と、
前記遠隔の供給源から受信された前記資料を記憶するメモリと、
前記資料を前記メモリに任意で記憶し、前記資料を読むためのナビゲーション・キーと、
を備えるデジタル購読装置。
【請求項２９】
デジタル購読装置に購読資料を送信するシステムであって、
本のような閲覧領域を提示する表示画面を有するデジタル購読装置を提供することと、
遠隔の供給源から、単位またはページに分離可能なテキストおよびグラフィックを受信し、前記テキストおよびグラフィックを前記表示画面に表示するために受信手段を前記デジタル購読装置内に配置することであって、前記受信手段は、インターネットとは別個の専用通信回線に接続され、配置することと、
前記遠隔の供給源から受信された前記テキストおよびグラフィックを記憶するメモリを提供することと、
テキストおよびグラフィックの供給元提供者と通信して、前記専用通信回線を通じて前記デジタル購読装置に送信される前記供給元提供者からの定期購読物または資料を取得することと、
前記テキストおよびグラフィックを前記メモリに記憶し、前記テキストおよびグラフィックを読むための単純なナビゲーション・キーのセットを前記デジタル購読装置上に形成することと、
を備えるシステム。
【発明の詳細な説明】
【技術分野】
【０００１】
本発明は、本明細書でデジタル・ボードとも称されるデジタル購読装置(digital reading device)と、新聞、雑誌、書籍、および他のテキストおよび視覚資料を、そのような資料を受信するように特別に構成されたデジタル刊行装置に電子的に配信する方法に関する。好ましくは、資料は、無線データ送信によりデジタル刊行装置(digital press device)に配信され、デジタル刊行装置は、そのような資料を無線で受信するように構成されたハードウェアを有する。
【０００２】
本明細書では、用語「デジタル刊行装置」は、広く解釈されるべきであり、刊行物および新聞資料と配信物のみならず、数例を挙げると、書籍、雑誌、定期刊行物、写真、映像等の他種の資料も含む。
【発明の概要】
【課題を解決するための手段】
【０００３】
本発明の一態様によれば、各々表示画面を有する１対のタブレット部分（tablet portions）であって、タブレット(tablet)は、表示画面が保護され、見えない閉位置と、画面が隣り合い、互いと同一平面上にあり、それにより本のような閲覧領域（book-like viewing area）を提示する開位置との間で、互いに対して折り曲げることが可能であるタブレット部分と、遠隔の供給源から、単位またはページに分離可能なテキストおよびグラフィックを受信し、テキストおよびグラフィックを表示画面に表示する受信手段と、遠隔の供給源から受信されたテキストおよびグラフィックを記憶するメモリと、テキストおよびグラフィックをメモリに記憶し、テキストおよびグラフィックを読むための単純なナビゲーション・キーのセットと、を備えるデジタル購読装置が提供される。
【０００４】
本発明によるデジタル刊行装置および方法は、ＷＩＦＩ（ＩＥＥＥ８０２．１１Ｂ）、衛星、または広帯域を介して、ユーザによって選択された１つまたは複数の日刊新聞または月刊雑誌等を有するデータを、送信されたデータ（新聞または雑誌）を受信するデジタル刊行装置に提供することが可能な新しいタイプのサービスである。そのような日刊紙または雑誌を受信するサービスを使用することの有益な結果の１つは、継続的で費用のかかる紙とインクの使用をなくすか、著しく減らすことである。その結果、ジャーナリズムと読者の産業が、費用対効果と信頼性を高めることを助けることができ、後者は、誤りやミスが同じ日に訂正されることができるためである。
【０００５】
このデジタル刊行装置および方法は、単なる例として書籍等の他の資料の送信を組み込むように拡張されることもでき、読者は、書籍を本発明のデジタル刊行装置およびＤＶＤ、コンピュータ、または他の電子メディアにダウンロードして、書籍や他の文書資料を購入する代わりに、電子ライブラリまたはペーパーレス・ライブラリを構築することができる。多くの樹木が節約され、印刷物の製作と配送の結果生じる汚染物質が著しく低減されることができることから、本発明のデジタル刊行装置および方法は、環境的により適切で安全である。現在地球にはある程度劇的な気候変動が生じており、我々は地球温暖化の結果不安定な時代を生きていることは周知の通りである。そのため、森林を保全し、リサイクルを推進することによって樹木と環境を保持する助けとなる製法または変化は、ただ有利である可能性がある。
【０００６】
本発明のデジタル刊行装置および方法は、従来のコンピュータよりも複雑性が低く、ユーザにとって分かりやすい、単純な電子装置および方法を提供し、それにより、データ、新聞、書籍等が、現在または今後もコンピュータに明るくはない多くの人々に対して受信されることができる。この装置は、コンピュータを補完し、容易に携帯することができ、人々が日刊紙および定期可能物を読むための、単純で費用対効果が高く、環境にやさしいインターフェイスを提供する装置でもある。地球のエコロジーのために樹木の損失を減らすことの重要性は言うまでもなく、限界のある樹木の量と建築資材に対する高い需要のため、本発明のデジタル刊行装置および方法は、世界の人々の多くが、日刊紙、雑誌、定期刊行物、書籍等に比較的容易にアクセスし、読むことを継続的に可能にする。したがって、読者にとっては、書籍のために高い費用をかけて選ばれた人々のための誇示のための印刷物を得るか、または、大幅に低下した費用で広く利用できるようになる可能性のある本発明に従って、資料を電子的に獲得するという代替の選択肢とで選択が可能である。
【０００７】
近い将来、書籍、雑誌、新聞等を紙に印刷することについて危機に直面する可能性が非常に高い。本発明の効果の１つは、現在製造されている莫大な量の印刷物を発行者が大幅に減らせる可能性が確実にあり、さらに定期購読者には大幅な節約と利便な利用が享受されることである。すべての者がこの環境へのプラスの影響を歓迎し、利益を得ることができる。
【０００８】
地球上で現在起きている、そして将来起こる環境および気候の変動に関係なく、あらゆる種類の印刷物が引き続き必要とされることは間違いない。印刷物は、マス・コミュニケーションの重要な形態の１つである。学校、大学、およびあらゆる種の機関は、引き続きある形態の印刷物を必要とすると考えられる。本発明の一態様では、学生は、特定の公立学校または私立学校に対して指定された特定の電話番号に電話をして、教科書をデジタル刊行装置にダウンロードすることができる。本の内容がデジタル刊行装置に記憶されるので、本を持ち歩く必要がなくなる。各種の電気器具を購入する場合と同様に、デジタル・ボードの所有者またはユーザは、指定された（無料通話の）電話番号に電話をし、領収書および／またはデジタル・ボード番号または他の識別情報を提供し、さらなる使用または操作のための指示を受け取ることができる。その指示は、使い終わったときに保存しても消去してもよい。デジタル・ボードを使用すると、学生または他のユーザは、インクと紙をまったく使用することなく、必要な情報にアクセスし、その後の通信と教育のためにその情報を保持しておくことができる。デジタル・ボードはコンピュータではなく、単に、ユーザの希望に応じて印刷物を読む、ダウンロードする、保存または消去するために印刷物を電子フォーマットで受信する単純なデータ受信および表示装置である。
【０００９】
本発明により、異なるバージョンのデジタル刊行装置が提供されてよい。例えば、本装置の１つの形態は、商業的な新聞、定期刊行物、印刷物等向けの商業的用途のために提供されることができる。この点で、デジタル・ボードは、店舗で購入された商品についての製品指示を受信することもできる。
【００１０】
デジタル・ボードの別のタイプまたは機種は、学習または研究のために書籍を必要とする学生、医師、および専門家向けに提供されることができる。デジタル刊行装置は、私的な書籍または専門書籍、小説愛好家あるいは単に読書が好きな人々のために小型の電子ライブラリを備えることが可能である。デジタル・ボードは、一定の料金で読者に書籍を送信するために公共図書館によって使用されることができる。各種の図書館が特化された蔵書を有しており、その蔵書を電子形式にすることができる。一実施形態では、読者は、図書館に行き、読むために選択した書籍を持ち歩く図書館デジタル・ボードを入手し、許可された期間内にそのデジタル・ボードを図書館に返すことができる。すなわち、カスタマイズされた可変の内容を備えるデジタル・ボードが、図書館によって、賃貸する、借りる、あるいは購入できるようにされることができる。そして公共図書館は、読者から返却されるとデジタル・ボードの内容をクリアし、次の読者あるいは借り手のために新しい書籍の群または他の資料を受信するようにデジタル・ボードを設定することができる。さらに、図書館は、購入のため、または限られた期間貸すために、小額の料金で書籍と定期刊行物の蔵書をダウンロードできるように提供することができる。
【００１１】
デジタル刊行装置の利益の１つは、ユーザが長い画面のように共に固定した２つの画面で新聞（異なるページ上の写真）を読んでいるときに、好ましくは表示された写真を起動するボタンが画面の１つの下部にあり、その写真が描写している実際の出来事の２〜３分間の映像の選択肢を新聞または雑誌に与えることである。あるいは、静止写真のみが提供されてもよい。デジタル・ボードは、ＷＩＦＩまたは衛星、さらには広帯域を通じてデータを受信する。
【００１２】
電話会社、衛星会社、およびサービス口座を提供する会社等、種々の提供者に合わせて構成された異なる設定のデジタル装置を購入する選択肢であってもよい。
【００１３】
本発明の一態様は、装置が、インターネット以外の手段で供給元提供者に無線で接続することを要求する。専用回線または非公衆接続が確立されることが好ましい。そのため、装置への送信は、インターネットを通じたオンラインでは行われない。性質的には専用の電話回線により近い。それにより、装置の操作と使用が大幅に単純化され、スパム・メールあるいはジャンク・メール、あるいは装置の機能を損なう可能性のある、装置によって受信される他の可能性のある有害な受信がまったくないか、大幅に減少することが保証される。
【図面の簡単な説明】
【００１４】
【図１】本発明の一態様によるデジタル・ボード装置の概略図である。
【図２】本発明の別の態様によるデジタル・ボード装置の概略図である。
【図３】本発明のさらに別の態様によるデジタル・ボード装置の概略図である。
【図４】図面の図３に示すものと同様のデジタル表示装置の概略透視図である。
【図５】情報と表示の選択肢が画面またはモニタに示された、本発明の一実施形態によるデジタル・ボード装置を示す図である。
【図６】本発明のさらに別の実施形態によるデジタル・ボード装置の概略図である。
【発明を実施するための形態】
【００１５】
本発明の一態様によれば、新聞あるいは雑誌の発行者は、デジタル版の新聞および／または雑誌を、選択されたサービス提供者に送信または伝送する（例えばＷＩＦＩ、ＩＥＥＥ８０２．１１Ｂ、衛星、あるいは広帯域により）ことができ、それにより、読者や定期購読者に新聞等を提供することができる。送信された内容の誤りや間違いは、数時間内に訂正されることができ、改訂された訂正後の版の内容が定期購読者のデジタル刊行装置に配置される。
【００１６】
下記でより詳細に説明する本発明の別の態様によれば、デジタル刊行装置は、読者または定期購読者が購入することが可能な独自の２画面デジタル・ボードを備えることができ、このデジタル・ボードにより、報道機関または発行者は、テキスト、静止写真、またはボタンに触れると静止写真を最大で５分間のミニ・ビデオに起動する写真を、ダブル画面の上に配置することができる。下記で説明する２画面は好ましい実施形態であるが、他の形式の画面またはモニタが確実に本発明の範囲内にある。
【００１７】
ミニ・ビデオは、新聞、雑誌、定期刊行物、および無論書籍と他の資料に対して提供されることができる。
【００１８】
本発明のデジタル装置は、現在の読者にとってより効率的で、利便であることが理解されよう。例えば、油田で働く人々、炭鉱作業員、地方や田園地域に住む人々は、装置を簡単に操作して、新聞および他の資料に電子的にアクセスし、受信することができる。また、休暇中の人や出張中の人は、居場所に関係なくデジタル刊行装置で彼らの日刊新聞や雑誌を受信することができる。
【００１９】
多数の選択肢と選択権が利用可能である。いくつかの単なる例には、資料が国際的に利用できることが含まれる。本発明のデジタル刊行装置は、読者が日刊の刊行物または週末の刊行物のみを受信することを可能にする。ある読者は日刊新聞を英語で受信し、別の読者は、同じ刊行物をスペイン語で要求し、あるいは他のどのような言語も発行者によって利用可能にされる。ある読者は、選択とカスタマイズに応じて、ロンドン・タイムズ、ニューヨーク・タイムズ、あるいはホンコン・タイムズと共に、自分の地元紙を日曜に受信することができる。その結果、選択に従って、地元紙と国際紙の両方が読者に利用可能となる。読者は、自宅にいない、あるいは通常の物理的な配送住所にいないために日刊または週刊の新聞や雑誌を読み損なうことがなくなる。
【００２０】
デジタル装置の実施形態の説明
本発明の一実施形態によれば１対のデジタル・ボードを備えたデジタル刊行装置が提供され、デジタル・ボードは、１つの長い縁部に沿って取り外し可能に取り付けられた、好ましくは８×１０インチの２つの画面であり、２つの画面は、本のように開閉可能である。２つの画面が横並びに開かれると、所定の位置に固定され、１０×１６インチ画面を形成することができる。本発明は、これらの大きさの画面に限定されるものではなく、任意の大きさの画面が使用されてよいことに留意されたい。２つの画面は互いとサイズが異なっていてもよい。２つの画面は、便宜上、それぞれ、左側の画面である画面「Ａ」と、右側の画面である画面「Ｂ」と呼ぶ。
【００２１】
図１に、本発明の一態様によるデジタル刊行装置を示す。
【００２２】
好ましくは、本発明の一態様では、図面の図１から明確に分かるように、画面Ｂを囲む枠上の画面Ｂの下部に左から右へと７つのボタンがある。これらのボタンは、２つの画面ＡおよびＢを１つの長い画面として、または連続した画面として操作し、または本や雑誌ではその画面を２つのページとして分割する。ユーザが所望のフォーマットの種類を選択するか、あるいは発行者が、画面ＡおよびＢに表示するためのフォーマットでコンテンツまたは資料を送信することができる。装置は、ユーザによって選択された購読資料に従って、多数の事例で自身を設定する。
【００２３】
図面の図１を参照したボタンとその動作の簡単な説明が以下に提供される。これは一実施形態にすぎず、本発明の範囲内で多数の変形と組合せが可能であり、本発明の範囲は、本明細書に記載されるどの特定の実施形態にも限定されないことに留意されたい。
【００２４】
参照符号２０の第１のボタンは、デジタル刊行装置またはデジタル・ボードの電源をオン／オフする。
【００２５】
参照符号２２の第２のボタンは、それぞれが反対の方向、すなわち左または右を向いた２つの矢印を有する矩形のボタンであることが好ましい。このボタン２２は、選択に応じて新聞、本、雑誌のページを先または前にめくる効果を有する。
【００２６】
参照符号２４の第３のボタンは、２つの矢印が示され、１つの矢印は上を向き、もう一方は下を向いている。このボタン２４は、任意のあるときに、資料の文章または他の適当な部分を上から下へと拡大する。このようにして、読者は、読んでいる記事あるいはページを利便に上および下にスクロールすることができる。拡大された文章または部分は、より明るく点灯させることもでき、それにより読者は記事を容易に拾い読みすることができる。この効果により、人間の目で画面またはモニタでデジタル・データを読むことがより容易にもなる。
【００２７】
参照符号２６の第４のボタンは、容易に識別できるように赤色で、上または近傍に単語「写真」が印刷されていることが好ましい。このボタン２６を使用すると、読者は、画面ＡまたはＢに表示された写真の１つまたは複数を起動することができ、その結果、その写真が一部をなす記事に関連する実際の出来事のスピーチ、コメント、あるいは生の場面等の報道価値のある資料または関連する資料の短い映像が１〜５分間（あるいは他の適切な長さ）にわたって流れることが好ましい。また、スピーカを隠し、写真、映像、または他の資料に関連付けられた音声がそこから発することが可能な隠された小型の格子が、デジタル刊行装置のフレームの上端部分の画面Ｂ（右の画面）の上にあってもよい。スピーカは、画面Ａの左下に位置することができ、使用中は光ることができる。
【００２８】
参照符号２８の第５のボタンは、好ましくは、青色であり、読者が新聞、雑誌、あるいは書籍の現在の号を保存し、後に都合のよいときに読むために再呼出するか、あるいは単にユーザのコンピュータ、ＤＶＤレコーダ、またはプリンタに資料をダウンロードし、電子ライブラリまたは紙によるライブラリの一部として保存することを可能にする。このボタン２８は、スペースを作り、より多くのデータ（新聞等）を受信するために、デジタル刊行装置の記憶空間をクリアすることもできる。
【００２９】
一形態では、デジタル刊行装置は、最大で５日分の日刊刊行物を受信し、記憶することが可能である場合がある。例えば、読者は、ある新聞の月曜から金曜までの版を受信し、デジタル刊行装置にある資料を消去するか、または、デジタル刊行装置に資料をダウンロードするための６番目のボタン（下記で説明する）の下部でデジタル刊行装置に接続することが可能なコードまたはケーブル付属品を使用して資料をダウンロードすることにより、デジタル刊行装置をクリアすることができる。このようにして、世界各国からの他の５紙と共に土曜と日曜の新聞を受信するために利用できる記憶空間の点で備えるために、デジタル・ボードが例えば金曜の夜にクリアまたは部分的にクリアされることができる。したがって、読者は、地元紙と、ロンドン・タイムズ、ニューヨーク・タイムズ、あるいはホンコン・タイムズを日曜の朝に受信し、デジタル刊行装置をクリアするためにそれらをコンピュータまたはレコーダにダウンロードし、同じ日に世界からもう５つの刊行物を受信することができる。
【００３０】
この装置は、資料をハード・コピーにダウンロードする必要なく資料を記憶できるように非常に大きな記憶容量を有することができる。さらに、著作権保護された資料がコピー制限を有することができる。
【００３１】
参照符号３０の第６のボタンは、デジタル・ボード、およびコンピュータやプリンタ等の他の装置に接続するコネクタ・ケーブル用の端子３２をその下または隣に備える。このボタン３０が押されると、画面Ｂ（右の画面）に指示が表示され、記憶されたデータのダウンロードまたは印刷を支援するプロンプトが提供される。この手順により、新しいデータのために空間を空け、新しいデータを受信するために、デジタル・ボードまたは刊行装置の記憶空間もクリアされる。読者は、単に、記憶されたデータの一部および／またはすべてを恒久的に消去することもできる。
【００３２】
参照符号３４の第７のボタンは、すべての新しい刊行物（日刊新聞、月刊の定期刊行物、雑誌等）を起動するために使用されるボタンである。読者は、発行者や他の提供者によって選択された深夜等の時間に、新しい刊行物にアクセスし、ダウンロードすることができる。すべての新しい刊行物は、例えば午前１２時（深夜）から午前３時の間にデジタル・ボードまたはデジタル刊行装置で閲覧できる状態になっている場合がある。このボタン３４が押されると、デジタル・ボードは、発行者によって送信された注文データ（新聞や定期刊行物）を取り出すために、衛星、ＷＩＦＩ、広帯域に特定の信号を送出する。
【００３３】
携帯電話の通話のように、デジタル刊行装置は、要求された刊行物を受信するリンクに発呼することができる。デジタル・ボードの購入時に、ユーザまたは読者または定期購読者は、クレジット・カード（または他の適切な金銭上の取り決め）を使用して口座を開設して、選択可能なすべての定期刊行物を購入することができ、人間のオペレータあるいは自動化されたオペレータが注文を受け付ける所定の電話番号に通話して、任意のときに定期購読の一覧に追加することができる。この電話番号は、小売店で購入されるマネー・カードを用いて、デジタル・ボードに関連付けられたプリペイド口座に資金を追加するためにも使用されることができる。注文が受け付けられると、指定されたその口座から資金が引き落とされる。さらに、個人情報の盗難や金融情報の不正流用を防止あるいは抑止するために、この注文システムには組み込まれた安全機能が含まれてもよい。デジタル刊行装置用の口座を有するユーザは、注文を出すことができ、デジタル・ボードでその注文が最初に取得されたときに、その注文または個々の刊行物や購読を拒絶または拒否する選択権を有する。注文を容易にキャンセルできる、または月刊購読の最初の刊行物が到着した際に資料を受諾する選択権があってもよい。定期購読者がデジタル・ボードで刊行物を受諾すると、取引が完了し、ユーザの指定口座から資金が引き落とされる。さらに、ユーザが定期購読の一回目の刊行物を受諾すると、注文されたその特定の定期購読の全代金が指定口座から引き落とされる。本システムのこの選択肢は、デジタル・ボードの所有者に、権限のない者によって行われた注文をキャンセルする機会を与える。一形態では、複数の刊行物からなる定期購読の一回目の刊行物をユーザが誤って拒否または拒絶すると、その注文全体をキャンセルする効果があり、そのような状況では再度電話をして再注文する必要がある。
【００３４】
サービスおよびデジタル刊行装置の機能方法：読者または定期購読者は、電器店あるいはデジタル・ソフトウェア等を販売する他の小売店でこれらのデジタル・ボードを購入することができる。新聞、書籍等の発行者、またはそのために設立されたクリアリング・ハウスにより、その読者のための口座が開設されることができる。あるいは、読者は、プリペイド式のボードまたはデジタル刊行装置を購入することもでき、定期購読者または読者は、刊行物または書籍または他の資料を購入するために、必要に応じて資金を入れ、デジタル・ボードの口座を開設することができる。ボードと併せてコード（ｃｏｄｅ）が提供されることができ、そのコードを使用して、注文した刊行物を取得することができる。デジタル・ボードは、そのボード用の特別なコードを備えるコンピュータ・チップを有することができる。データがボードに送信されると、ユーザは、ボードによって取得されたその刊行物を受け付けるまたは拒否する選択権を有する。この機能は、注文していない刊行物や他の資料、あるいは電話オペレータの間違いの結果生じた刊行物または他の資料を受諾しなくてはならない事態からボードの所有者を保護する。送信された刊行物を受け付けると、その刊行物は、デジタル刊行ボードの適切なメモリ記憶装置内でボード内に保持された状態になり、ユーザは、直ちに、または邪魔のない後の都合のよい時間にその内容を読むことができる。下記でさらに説明するデジタル・ボードの照明により、ユーザは、暗闇や、トンネル、地下、電源が利用できない田園地帯等の照明の乏しい場所で、デジタル・ボードを操作し、そのメモリに記憶された内容を読むことができる。
【００３５】
一態様では、定期購読者は、オペレータに電話をして注文を出し、識別のために提供される適切なボード番号。オペレータは、通話をしながら、選択された資料を直ちにユーザに送信することができ、資料は装置で表示され、本明細書に述べるように拒否または受諾されることができる。タイトルまたは資料が受諾されると、装置は、自動的に待機モードに入り、短時間またはより長い時間内に、購入された資料を受信できる状態になる。
【００３６】
デジタル・ボードが盗難、紛失、あるいは壊れた場合は、読者は、サービス提供者に電話し、盗難あるいは壊れた旨を報告することができ、ボード内の固有の特別コードでその特定のデジタル刊行装置を特定し、するとそのボードへのすべてのデータの送信が停止する。そのような状況では、サービスおよび／または既存の口座（前払い式またはその他）は解約され、従来の取り決めにより新しいボードに切り替えられる。装置は、装置を起動するために入力され、要求されるセキュリティ・コードを有することができる。
【００３７】
デジタル・ボード（好ましくは横並びに配置された２つの８×１０インチ画面を備える）は、開かれた位置にあるときには、右の画面の下部（または他の場所）に、好ましくは左から右へと配置されたタッチ制御ボタンの列を有する。本発明の一形態では、第１のボタンは、装置と画面の電源をオン／オフするものである。第２のボタン群は、画面の文書のページを１ページ目から先へとめくる。第２のボタンは、文書内のそれぞれ先および前への移動を示す左および右向きの矢印を有する。第３のボタンは、より明るく照明する、および／または物語の最初の行を拡大する等、記事の個々の行を制御し、より読みやすくする。第３のボタンは、ユーザがページを上下に進みながら最初の行または２番目の行を拡大できるように、上および下向きの矢印を有する。第４のボタンは、好ましくは赤色であり、静止写真を、当該新聞が導入する映像形式に変換するために使用されることができる。一部の写真は静止写真であり、一部は映像である場合がある。このボタンは、映像対応の写真を起動する。第５のボタンは、好ましくは青色であり、その目的は、新聞、雑誌、書籍等の現在の号を保存することである。一実施形態では、ボードは、３〜７号分の新聞と２号分の雑誌を記憶し、ユーザはこのボタンで以前の号に戻ることもできる。第６のボタンは、その周囲に白い円があり、そのすぐ下にはボードに付属するケーブルのための開口部を有することができる。ケーブルは、装置（デジタル・ボード）ならびにコンピュータ、ＤＶＤ作成器、またはプリンタに差し込まれ、後の所望の日に閲覧するために選択され、転送されたすべての号を保存するために、デジタル・ボードからＤＶＤまたはコンピュータにデータを転送することができる。
【００３８】
音楽用のＩｐｏｄや、テキストを受信する携帯電話、さらにはラップトップ・コンピュータの存在は定着している。いずれも一定の能力を必要とする。本発明によるデジタル・ボードとその単純性は、コンピュータによるダウンロードや、携帯電話、Ｉｐｏｄ、その他の通信機器に特に関心のないユーザに利便性をもたらすことを目的とする。そのような機器は、必ずしもコンピュータやブラックベリーに明るくなく、ただ新聞や雑誌を読むために非常に簡単に電源を入り切りできる何かを望む人々にとっては不便である場合がある。
【００３９】
デジタル・ボードは、好ましくは非常に薄く、キーボードを必要としないことからラップトップのように厚い必要はなく、非常に軽量で、容易に操作できるようにコード化された番号を表面に有する。日刊刊行物あるいは雑誌を受信するには、同じコード番号が使用されてボードの電源を切ることができ、そのため、デジタル・ボードが紛失あるいは盗難、破壊にあった場合には、そのボードへのすべてのデータの送信が中止し、新しいボードがその定期購読者に対して発行されることができる。データを受信し、そのデータをメモリ記憶装置そして画面に送信し、ユーザによって操作されるコントロールに従って振舞うようにデータに指示するコンピュータ・チップがある。国内通話または国際通話を受信する携帯電話のように、サービスのレベルはユーザが有する定期購読の種類あるいはデジタル・ボードについての信用枠に応じて様々に異なってよい。好ましくは、本発明のデジタル刊行装置は、軽量で、色はグレー、かつ外部は耐久性のある硬質プラスチック製であることが好ましい。定期購読提供業者あるいは独立系の会社は、個別の機能を望む者、あるいは単に何か特別な物が好きな者に対して、カスタマイズされたバージョンを販売することができる。盗難された場合に識別できるように、隠しコードがボードの表面に配置されることができる。
【００４０】
デジタル装置の別の実施形態の説明
上記のように、デジタル・ボードには２つのスタイルがあり得る。１つは、商業用途向けの標準的な装置である。一般の人々は、新聞、定期刊行物、および各種の市販印刷物を閲覧するためにこのスタイルを購入する可能性がある。入手可能とすることができる第２のスタイルのボードは、書籍、マニュアル、および地図に使用するのに最適な数千の文書を記憶するための大容量を有することが可能な、より高性能（ｈｅａｖｙ−ｄｕｔｙ）のデジタル・ボードである。そのようなスタイルであれば実際に、大学、高校、あるいは小学校の学生、さらには医学生や商学生向けの小型のデジタル・ライブラリあるいは電子ライブラリを備えることになり、このライブラリは特定ユーザに合わせてカスタマイズ可能である。ユーザは、デジタル・ボードを利用して必要とするすべての書籍を持ち歩くことができる。さらに公共の図書館サービスと併せて使用されて、所望の特定の必要性のために選択した本を持ち歩く、あるいは本と共に旅行することもできる。
【００４１】
次いでデジタル・ボードとその構成要素のさらなる実施形態を説明する。
【００４２】
図２および図面の他の図を参照すると、電源オン／オフのボタン５０を含む、本発明の実施形態が示される。このボタン５０は、デジタル・ボードが開いた位置にあるときにのみ機能し、内側の２つの画面ＡおよびＢは、図２に示すようにそれぞれの中心で共に押され、２つの画面が共に正しく固定されたことを知らせるカチッという音と共に係合する。この時点で、電源ボタンが押されて、デジタル・ボードに電源を入れることができる。すると、適切なタイプの初期画面が好ましくは２つの画面の中心部に表示され、２つの画面はこの時点では共に動作して、新聞や書籍の形態のテキストおよび他の資料、あるいは提示することが可能な他の形態の資料を提供する。
【００４３】
画面Ｂ（右の画面）の下部には、左から右へと３つの可能な枠も表示される。第１の枠は、単語「ボードが空です」を含み、第２の枠は単語「保存データ」を含み、第３の枠は単語「処理可能データ」を含む（図面の図２を参照）。通例は、これらの選択肢の１つまたは２つのみが一度に表示される。「処理可能データ」と共に「ボードが空です」か、または「処理可能データ」と共に「保存データ」が表示される。それぞれ左矢印と右矢印を有するボタン５２および５４（下記でさらに説明する）を、これら２つの矢印の間にあるボタンと共に使用する。これらの矢印ボタンは、「空」から「保存」または「処理可能」データに移動するために使用される。処理可能データは、到着したばかりで、受諾または拒絶できる状態にあるコンテンツを含む。保存データは、単に、すでに検討または受諾されたデータである。ボードが空の場合、または保存データまたは処理可能データがある場合には、その特定の枠が点灯するか、何らかの形で強調表示される。左および右の矢印が使用されて、選択された枠に移動することができる。
【００４４】
「処理可能」データの枠が点灯しているときにユーザが「処理可能」データを選択した場合（すなわちダウンロードされた何か新しいものが入手可能である場合）、ユーザは、次いで、ボタン５８である、処理可能照明５６の隣のボタンを押し、すると受信されたタイトルが画面（画面Ａすなわち左の画面。そして必要な場合は画面Ｂすなわち右の画面に続く）に表示される。注文するために８００番または他の番号または発行者に電話をかけなければ処理可能データを選択できない場合もある。定期購読者が、新聞あるいは提供される何らかの製品を購入するために電話をすると、本発明の一態様によれば、オペレータあるいは自動化された窓口に注文を伝え、デジタル・ボードを開いてデータ・ボタン５８を押すように指示され、通話中にそのタイトルがボードに送信される。タイトルは数秒内に表示されることができ、ユーザは、オペレータと電話がつながっている間にそのタイトルを受諾または拒絶して、注文したタイトルに間違いがないことを保証する。タイトルが受諾されると、ユーザは自動的に課金されるか、開設されているボード口座からタイトルの代金が引き落とされる。これにより、望まないデータがダウンロードされないことが保証される。
【００４５】
受諾または拒絶の手順：一覧中の最初のタイトルが点灯あるいは強調表示され、そのタイトルの隣には２つの枠が互いに隣接してある。これを図面の図２に示す。第１の枠には単語「受諾」があり、第２の枠には単語「拒絶」がある。これが注文したタイトルである場合には、タイトルの隣にある第１の枠が点灯する（受諾）。このタイトルが希望される場合は、枠が点灯した状態で、青いボタン６０（保存データについて図示）が押され、そのタイトル（例えばユーザのボード・アカウントから得ることができる）が、読者による使用のために完全にダウンロードされる。
【００４６】
このタイトルがユーザが注文したタイトルでない場合は、左および右の矢印５２および５４が使用されて、強調表示を右または下の枠（拒絶）に移動し、次いでボタン６２（またはデータ消去アイコン６４）が押されて、特定のタイトルが受諾されるか、または拒絶および消去されてユーザはそのタイトルについては支払いをしない。ユーザは、ボタン群６６（上および下の矢印を含む）を使用して、最初のタイトルの下にある次のタイトルを選択することができ、このプロセスを繰り返してそのタイトルを受諾または拒絶することができる。これはすべて、自動化されたオペレータ、あるいは電話でつながった８００番オペレータと話しながら行うことができる。ユーザは注文を完了すると、デジタル・ボードの電源を切り、次いでボードの側面のボタン５６、すなわち処理可能データ・ボタンの下にある実際の照明を押す。ボタン６番の横にある照明は、デジタル・ボードの電源が切られているときに、待機モードをオンにするために押すためのボタンでもある。待機照明ボタンは、押されると、ボードが以前に注文されたタイトルを受信できるようにする。夜に就寝し、デジタル・バッテリを充電する間、ボードは待機モードで、注文されたタイトルを受信可能な状態にあり、ユーザが起床したときにはそれらのタイトルがボードにダウンロードされており、ボードの電源を投入できる状態になると、処理可能データ・ボタン５６が押される。ユーザがすでにタイトルを受諾しているのでタイトルは画面に表示され、それらのタイトルは、保存ボタン６０を押すことによりユーザが処理できる状態にある。
【００４７】
ボタン６６を使用して、ユーザは、最初のタイトルの下にある次のタイトルを選択し、このプロセスを繰り返してそのタイトルを受諾または拒絶することができる。ユーザが画面Ａに表示されているタイトルの一覧すべてを処理すると、ユーザは、選択され、デジタル刊行装置中に受信され、記憶されたタイトルをどれでも読むことができる。
【００４８】
図面の図２に関する他のボタンと構成は、以下のように要約することができる。
（１）電源オン／オフ・ボタン５０。
（２）再生／一時停止および左または右へのページめくり５２および５４。
（３）拡大／色６６：２つの矢印は押されると、新聞のページあるいは地図を上下にスクロールすることができ、また、読んでいるページ上で拡大された文章を上下にスクロールすることができる。色ボタンは、押されると、基本的な黒の活字を落ち着いた青、緑、あるいは黄色に変更することができる。
（４）写真ボタン７０：このボタン７０は、新聞、書籍、および他の資料中の写真を「起動」して映像の形態にすることができる。再生／一時停止ボタン５２および５４により、Ｔｅｌｌｙ  Ｔｒｅｋ、ＰＴのプライベートＴｒｅｋ情報、またはｓｔｕｄｙ  Ｔｒｅｋを起動することができる。
（５）保存／再呼出ボタン６０：記憶および／または後の検索をこのボタンで行うことができる。さらに、特定の資料は、印刷する、あるいは後に使用、印刷、または閲覧するために写真複写することができる。
（６）緑の照明５６は、装置に注文または資料が到着したときに点滅し、その資料は受諾または拒絶されることができる。
（７）ボタン６２は、送信され、装置で受信された資料を受諾または拒絶するために使用されることができる。上および下へのスクロール・ボタン６６は、受信された資料を強調表示するために使用されることができ、左／右の矢印ボタン５２および５６は、適宜、受諾または拒絶に点灯を配置するために使用されることができる（例えば図２の画面Ａ参照。３つのタイトルが表示され、各タイトルがこれに関して使用される受諾または拒絶のアイコンを有する）。
（８）ＵＳＢ差し込み口７４は、必要に応じて他の装置のコンピュータと通信するために設けられる。
（９）ボタン７６は、デジタル装置の外側にある照明をどれでも点灯させることができる。一形態では、このボタンを３回押すと、デジタル装置の外側または外周部にある照明のリズムを変更することができる。１回または２回押すと、異なるリズムを作り出すことができ、３回目の押下で、ＢｏｏｋｓまたはＴｒｅｋのＭＭＴ＆Ｔ．Ｔ．オーディオ資料音声効果のリズムを照明にとらせることができる（例えば図面の図３参照）。
（１０）スピーカ７８は、音声書籍、オーディオ書籍、および音声を伴う他の資料のために提供されることができる。
（１１）イヤホン・コネクタ８０は、一人で聴くために提供されることができる。
（１２）画面ロック解除ラッチ８２。このボタン１２は左に押されることができ、デジタル装置の２つのタブレットまたは画面のロックを解除する。
（１３）アンテナ８４。アンテナ８４は、デジタル装置のためのワイヤレス・データを受信する。
（１４）バッテリ室８６。デジタル装置の画面Ｂ（右側）の上部、または他の利便な場所に配置することができる。
（１５）マルチメディア・カード・メモリ・チップ室８８（図３参照）は、バッテリ室８６の隣に配置されることができる。
（１６）電力接続９０。この接続を通じて電力接続が行われて、ＡＣ電源から直接デジタル装置を動作させる、かつ／またはバッテリを充電することができる。
（１７）安全ロック９２。このロックでデジタル装置を開閉することができる。好ましくは、装置が閉じられているときには、ロックはデジタル装置の左側面の中央にある。
【００４９】
付属品および他の部品
デジタル・ボード用のスタンドを提供して、ユーザが、立てた位置、または傾けた位置、あるいは持ち上げた位置でデジタル・ボードを置けるようにして、操作を助けてもよい。装置は、スタンドにある間電源に接続されることができる。
【００５０】
音声書籍および視覚書籍、新聞の起動された写真や求人広告、および略してＭＭＴまたはＰＴ（すなわちプライベート・マルチメディアｔｒｅｋ）を一人で聴くために、イヤホンがデジタル・ボードに付属してもよい（左および右）。カスタマイズされたイヤホンが提供されて、Ｍ−ＤＡＳ（Ｍｕｌｔｉ−Ｄｉｍｅｎｓｉｏｎａｌ  Ａｅｒｉａｌ  Ｓｏｕｎｄ）に対応してもよい。ＭＤＡＳは、フル・ディメンション音声の感覚を与える。この音声処理は、録音された資料に効果として追加されても、ＭＭＴの実際の録音時に使用して実際にそこにいるような感覚を与えることもできる。
【００５１】
ＭＭＴまたはＰＴは、音声と歌詞の新しい配信形態としてデジタル装置によって利用されることが可能である。ここで述べる「ＭＭＴ」は、「Ｐｒｉｖａｔｅ  Ｍｕｌｔｉ−Ｍｅｄｉａ  Ｔｒｅｋ」あるいは「ＰＴ」（ｐｒｉｖａｔｅ  ｔｒｅｋ）の略であり、ＰＴＢは、Ｐｒｉｖａｔｅ  Ｔｒｅｋ  Ｂｏｏｋであり、これは、購入者の選択に応じて、選択された数のｔｒｅｋからなることができる。ＭＭＴは、専門家または広く一般に対して音楽芸術を配信する新しい独自の形態である。１つの歌曲または音楽が１つのｔｒｅｋになる。各ｔｒｅｋは、開始部、中間部、および終了部を有する。ＴＲＥＫ（すなわち歌曲または音楽）がすでに既存の映像を有する場合は、そのＴＲＥＫは音楽の楽譜および／または歌詞を表示する。デジタル装置は、必要に応じて表示を提供するために、ＭＭＴ、書籍、または特定のダウンロードに対して分割画面になることが可能である。
【００５２】
ＭＭＴに加えて、Ｔｅｌｌｙ  Ｔｒｅｋ（販売向けの過去または現在のテレビ放映回）、Ｉｎｆｏ  Ｔｒｅｋ（例えば過去または現在の情報ｔｒｅｋ、旅行、ドキュメンタリ、ハウツー物、地理の授業、音楽の授業等からなる）がある。学校あるいは大学の教育授業は、Ｓｔｕｄｙ  Ｔｒｅｋと称される。このシステムおよび装置が機能すると、すべての授業が撮影されることができ、ある授業を休んだ学生は、何時間か後にＳｔｕｄｙ  Ｔｒｅｋとしてその授業を入手することができる。そのため、学生は、特定の授業中に与えられる情報や授業内容を得られるだけでなく、実際の感覚や教師や学生からの反応を体験することもできる。
【００５３】
「ｇａｌａｃｔｉｃ」デジタル・ページは、町、市、州、および世界の国で入手可能なすべての新聞と雑誌のデジタル・バージョンで構成される。特定の国のある市を調べ、その町、市、州、国で入手可能な新聞、雑誌、書籍、演劇、Ｐ．Ｔ．、Ｔｅｌｌｙ  Ｔｒｅｋ、Ｉｎｆｏ  Ｔｒｅｋの一覧を得ることができる。
【００５４】
一般には「モード」ボタンの必要性はない。このデジタル装置は、読むものを選択する際に、必要とされるモードに合わせて自動的に変更するようにプログラムされることが好ましい。保存データ・ボタンを押すと、記憶された書籍、新聞、雑誌、またはＭＭＴ、ＰＴ、ＴＴ、ＩＴが表示される。
【００５５】
本発明のデジタル装置の強化された実施形態では、携帯電話が提供されることができる。デジタル装置での定期購読の注文を行うために通話し、注文を受信または拒絶することの他に、デジタル装置は、カスタマイズされたライブラリ用の印刷物を受信することができる。また、他のデジタル装置に電話をして、話をしながら互いを見ることができる機能が提供されてもよい。２、３または４人による電話会議で、会話中の人々の分割画像を画面に表示することができる。
【００５６】
本発明を操作させる手順
デジタル・ボードが開かれると、２つの画面が見える。これらの画面はデジタル・ボードが閉じられているときには内側にあり、それにより、デジタル・ボードが使用中でないときに損傷から保護される。右側は画面Ｂと呼び、これは好ましくは固定されており、左側が画面Ａである。デジタル・ボードを開く際には、画面Ａと画面Ｂの間に約１．５インチの隙間がある。画面Ａを静かに中央に向けてスライドして、画面Ｂと接触させる。画面ＡとＢが共に固定され、使用できる状態になったことを示す小さなカチッという音が聞こえる。この時点で、デジタル・ボードの枠の画面Ｂの下部に位置する第１ボタンを押すことにより、電源が投入されることができる。この枠に沿って左から右へと７つのボタンがあり、上記のようにその１番目のボタンが電源ボタンである。
【００５７】
電源が投入されると、すでにデジタル・ボードに取り込まれた、あるいはデジタル・ボードに取り込もうとするコンテンツを次いで読むために、デジタル・ボードは、１つの画面として点灯する。画面の中央にロゴが表示されてよい。左および右の矢印（参照符号２として参照）が使用され、第５ボタン（「データ保存」）が押される。上記の方式でタイトルが画面に表示される。上および下向きの矢印を伴う第３ボタンを使用して、タイトルが選択される。ユーザが上または下の矢印を押すのに従って、点灯または強調表示が画面上のタイトルの一覧上を上下に移動する。ユーザが所望のタイトルの上で止まると、第５ボタンが再度押され（データ保存）、選択されたタイトルの表紙ページが表示される。そのタイトルが書籍または雑誌の場合、および新聞の場合は、その最初のページが表示される。第３ボタンの中央には中央ボタンがある。ユーザがこのボタンを最初に押すと、書籍または１ページ目の記事の最初の文章が同じ黒の色で拡大される。２度目にこのボタンを押すと、テキストの色が落ち着いた青に変わる。３度目に押すと、色が緑に変わる。もう一度押すと（４度目）、拡大が解除される。このオプションは、読みやすいように落ち着いた色および／または拡大を好む読者によって好まれる可能性がある。
【００５８】
最初の文章が拡大されると、ユーザは、上および下向きの矢印を伴う同じ第３ボタンを操作する。下向きの矢印は、最初の文章から次の文章へ、次いでその次の文章へと拡大を移動し、この矢印を放すと、この連続的な文章の拡大が止まる。ユーザが「下」の矢印を押すと記事が上にスクロールし、「上」の矢印が押されると記事が下方にスクロールし、拡大された文章が上に移動し始める。読者が２つの矢印の中央（第３ボタン）で拡大または色の機能を使用しない場合は、２つの上および下の矢印を使用して、読んでいるページを上または下にスクロールする。読者が特定のページを読み終わると、左および右の矢印を伴う第２ボタンが押されて、ページを先または前にめくって、画面に続きのページが表示されるようにする。読者が読み終えると、または実際には任意のときに、第５ボタンが一度押され（データ保存）、すると表示されている書籍、雑誌、または新聞が画面から消え、タイトルの一覧が再度表示される。
【００５９】
第１電源ボタンが押されて、デジタル・ボードの電源を切る。電源が入っていないときには、下部の中央左にある画面Ａのための解除スイッチ（参照符号１１）が使用されて、デジタル刊行装置の左端にスライドして戻り、デジタル刊行装置を本のように閉じることができる。デジタル刊行装置の外側の中央部分には、デジタル刊行装置が閉じられたときに定位置にスライドするロックがあり、それにより装置をロックする。
【００６０】
操作
電源オン／オフ：デジタル刊行装置を開くには、ユーザは、好ましくは装置の外側の枠の中央部分に位置するラッチを引き出さなければならず、すると装置は本のように開く。その後画面Ａが画面Ｂの上へスライドされ、その右側部の端部で画面Ｂと接触する。カチッという音が２つの画面ＡとＢが共に固定されたことを知らせ、この時点で電源が投入されることができる。
【００６１】
左／右の矢印：デジタル・ボードに電源が入れられると、最初に表示されるのは、装置の画面の中心部にあってよい初期ロゴであり得ることが好ましい。画面Ｂの右下には、左から右に一列に３つの枠に表示された３つの選択肢、「ボードが空です」、「保存データ」、または「処理可能データ」があってよい（図２を参照）。左および右の矢印を使用して、希望の選択肢を強調表示し、該当する対応ボタンを押すと、ロードされたタイトルまたはダウンロード可能なタイトルが表示される。左および右の矢印は、タイトルを読む際にページをめくるために使用される。ユーザは、ページを前後にめくることができ、また、可能なダウンロードのための選択肢として最初にタイトルが表示されたときに各タイトルに対して表示される受諾と拒絶の選択肢間で強調表示を移動することもできる。
【００６２】
上下の矢印：装置は上および下の矢印を有し、２つの矢印の間には中心にボタンがある。
【００６３】
上下の矢印は、最初に、画面に表示されたタイトルの一覧内で画面上の資料の点灯または強調表示を上下に移動させる。ユーザが読むタイトルを選択すると、ボタン（保存データ）が押され、タイトルの表紙または最初のページが読むために表示される。そして、上および下の矢印を使用して、必要に応じて、読んでいる文書または記事を上または下にスクロールすることができる。大半の書籍および雑誌は、印刷された版と同じように見えるように全体が表示されることが好ましいが、新聞および他の特殊な書籍または地図は、より長い形である。これらの矢印は、ユーザが読んでいる記事または欄を上または下にスクロールして、すべてのタイプのフォーマットと表示を読みやすくする。
【００６４】
２つの上および下の矢印の間にある中央ボタンは、読み支援機能である。このボタンを一回押すと、ユーザが読んでいるページの最初の文章を拡大する効果がある。このボタンを２度目および／または３度目に押すと、強調表示された文章と文字（ｓｃｒｉｐｔ）の文字色がそれぞれ黒から落ち着いた青または淡緑色に変わる。このボタンを４度目に押すと、色と拡大が解除され、文字の色と大きさを通常の状態あるいはデフォルトの状態に戻す。拡大機能を使用するときには、ユーザの希望に応じて、矢印ボタンが押されるのと同じ速さで、すべて時間順に、上および下向きの矢印が最初の文章から２番目、３番目の文章へと順次拡大を移動していく。下向きの矢印が押されて、そのままにされると、拡大されている文章がある文章から次の文章に移動し、そのページを下方にスクロールする。上の矢印は、逆に欄またはテキストに戻るために使用されることができる。
【００６５】
写真アクティベータ：単語「写真」が印刷された好ましくは赤いボタンは、当該ページにある写真をすべて上から下へと時系列順に「起動」する。起動されると、短い映像またはミニ・ビデオが流れる。一部の写真は単に静止画写真であり、一部は、短い映像表示へのリンクまたは接続になっている場合もある。そうした映像は無論任意の適切な継続時間であり、通例は１〜５分流れる。ユーザが写真ボタンを押すと、静止画映像が「起動」または変換されて、１〜５分間（または他の適切な継続時間）流れ、その後停止する。ユーザが続けて欄およびテキストを読むのに従って、写真が組み込まれることができる。一実施形態では、左上の隅（または他の適当な位置）に小さな赤い点がある写真は、写真ボタン４を押すことにより短い映像に「起動」されることができる。ユーザは、赤いボタンを押すことにより、表示されている最中にどの写真映像も停止することもできる。再度押されると、そのページまたは欄の次の写真が起動し、もう一度押すとその起動が停止する。
【００６６】
保存データ：（好ましくは青いボタン）このボタンが初めに使用されるのは、読者が最初のタイトル購入を行うときである。あるタイトルを受諾または拒絶する手順に従うと、「受諾」と表示された枠に点灯または強調表示を移動した後にタイトルが受諾され、次いで「保存データ」ボタンを押すと、そのタイトルがデジタル・ボードのメモリに保存される。
【００６７】
図４のボタン２、または他の同様のボタンは、映像データの閲覧時に再生と一時停止の操作に使用されることができる。上記のように該当するボタンで写真を起動することができ、このボタンをさらに使用することで、存在する場合には次の写真に進むことができ、ユーザは複数の写真を順次処理することができる。
【００６８】
また、「保存データ」は、読者がデジタル・ボードを開き、以前に記憶したタイトルを読むために再呼出をしたいときに使用されることができる。そのような場合、読者は、デジタル・ボードの電源を入れ、「保存データ」ボタンを押し、すると、以前に保存されたタイトルの一覧がデジタル・ボードに表示される。そして、上および下の矢印が移動されて、選択したいタイトルを強調表示し、「保存データ」ボタンがもう一度押される。この時点で、希望のタイトルの最初のページが、上記のように、読み、スクロールできる状態で表示される。ユーザがあるページを読んでいる際に「保存データ」を再度押すと、そのページが消え、タイトルの一覧が再度表示され、ユーザは別のタイトルを選択することができる。
【００６９】
このボタンのさらなる使用は、ユーザが、ＰＣにハード・コピーを保存するために、デジタル・ボード上のタイトルをコンピュータまたは他の装置にダウンロードすることを望むときに行われる。これを実現するには、ユーザは、図面の図２に示す差し込み口にＵＳＢケーブルを差し込み、デジタル・ボードの電源を入れ、ＵＳＢケーブルを所望のＤＶＤプレーヤまたはパーソナル・コンピュータに差し込み、次いで「保存データ」ボタンを押す。この時点で、タイトルの一覧が、画面Ｂの好ましくは上部と下部に表示される。３つの選択肢も左から右へと一列に表示される。第１の選択肢はダウンロード／コピーであり、この選択肢を起動すると、選択されたタイトルのＰＣまたはＤＶＤプレーヤへのダウンロードが開始し、デジタル・ボード内の空間を空ける。第２の選択肢はダウンロード／ボードである。この選択は、読者が、コンピュータ等に保存されたハード・コピーのデータまたはテキスト、すなわち、以前に読んだ、または保存した書籍や、ユーザが保存し、再度読みたい過去の定期刊行物を再度デジタル・ボードにダウンロードしたいときに使用することができる。第３の選択肢は消去／タイトルであり、これはユーザが上および下の矢印を使用して、コピーまたは読了し、もう必要としないタイトルに点灯または強調表示を移動することを可能にする。そして、ユーザは、（消去の）ボタンを押し、するとそのタイトルが消去され、デジタル・ボードから除去される。デジタル・ボードには、ユーザがそのデジタル・ボード用のタイトルを記憶または再呼出することを可能にするメディア・カードがある場合がある。当システムに安全機構が組み込まれて、例えば消去するために選択された資料を消去することを本当に望むかどうかをユーザに尋ねることにより、誤った資料の消去を防止することもできる。
【００７０】
処理可能／データ・ボタン：処理可能データ・ボタンと、ボードの側面に位置する照明（図２を参照）も、利用可能なボタンである。ユーザがタイトルを注文する際には、このボタンを押してデジタル・ボードにタイトルを受信することができる。照明は、ユーザがデジタル・ボードを待機状態（低バッテリ使用）にして、（ダウンロードされた）タイトルを、例えばボードが使用中でないとき、あるいはユーザの就寝中に、デジタル・ボードに受信したいときにも押されることができる。そのため、ユーザは、注文したタイトルを受信をただ待たなくてよい。
【００７１】
消去／データ・ボタン：このボタンは少なくとも２つの形で使用することができる。第１の使用法は、読者が注文したタイトルを検討中で、それらのタイトルの１つまたは複数が必要としないものである場合である。消去ボタンを使用するとそのタイトルが消去され、ユーザは無論そのタイトルの支払いはしなくてよい。このボタンの第２の使用法は、ユーザがＵＳＢコネクタを接続している場合である。この状況では、ユーザは、消去ボタンを使用してデジタル・ボードからタイトルを消去することができる。
【００７２】
ＵＳＢ差し込み口：これは、デジタル刊行装置のためのデータをダウンロードおよび／または再呼出するためにＵＳＢケーブルを差し込むための差し込み口である。
【００７３】
照明ボタン：このボタンは、デジタル・ボードの外面とコントロールを点灯させるためのボタンである。さらに、デジタル・ボードの輪郭を縁取る細い線も点灯させることができる。このボタンは、基本的なボタンとデジタル・ボードの諸部分の点灯を提供し、ユーザが暗闇や、バス内、夜間の室内等でデジタル・ボードを操作するために電源を入れることを助ける。
【００７４】
スピーカ：デジタル刊行装置の枠上には、その下部に位置するスピーカを覆うように格子が形成されて、起動された映像に必要とされる場合のある音声を提供する。さらに、格子の隣あるいはデジタル・ボードの任意の場所に、一人での聴取を可能にするイヤホン用のプラグが配置される。
【００７５】
ロック解除ボタン：図面の図２のこのロック解除ボタンは、ユーザが読み終え、デジタル・ボードを閉じてシャットダウンしたいときに、押され、動かされて、２つの画面のロックを解除することができる。
【００７６】
アンテナ：このアンテナは、画面Ｂの上部からわずかに延伸する。しかし、アンテナは、任意の適切な場所にあってよく、任意の適切な構造であってよいことが理解されるであろう。
【００７７】
バッテリ／メディア・カード：バッテリおよび／またはメディア・カードの場所と室をデジタル刊行装置内に形成することができる。好ましくは、メディア・カードは、バッテリの隣に位置する。バッテリとカードは共に取り外し可能である。バッテリ用の壁ＡＣ充電器が、バッテリを充電するためにデジタル・ボードに付属する。
【００７８】
ＡＣプラグ・コネクタ：充電しながら自宅で読むために、あるいはバッテリの持続時間を保持するために、装置をＡＣコンセントに接続するためにＡＣコネクタ・プラグが提供される。
【００７９】
ロック／ラッチ：ロック／ラッチは、２つの画面ＡおよびＢを閉じられた位置で確実に維持するために、閉じられた位置にあるときにデジタル・ボードを単に固定する機構である。
【００８０】
装置がユーザによって購入されたときに製造者から最初のタイトルが無料で提供される場合があり、いずれにせよ、装置を操作する際の指示を含む印刷物または映像資料が送られてくることに留意されたい。
【００８１】
要約すると、本発明は、書籍、新聞、雑誌、および他の資料を受信し、表示するようになされたデジタル刊行装置またはデジタル・ボードを提供する。この装置は、キーボードを備えず、選択された資料をダウンロードするための一連のボタンまたは起動機構を備える。この装置は、新聞および雑誌の定期購読刊行物を、そのような刊行物を受諾または拒絶する選択権と共に、自動的に受信するように設定される。好ましくは、この装置は、本のように開閉して従来の書籍や新聞を模倣した購読形式を提示する１対の画面またはモニタを備える。
【００８２】
この装置は好ましくは無線受信能力を備え、装置の場所に関係なく、該当する無線送信の範囲内で、新聞または雑誌または書籍の事前に選択された号を受信する。拡大または色の技術でテキストを強化する各種のツールが提供される。装置は、限られた数の号を記憶することができ、それらの号は必要に応じてクリアして、新しい号および版のためのスペースを作ることができる。さらに、この装置は、装置上の資料または処理できる状態の資料をユーザに知らせるために、分かりやすく、操作が単純な画面上のプロンプトを備えることができる。スクロールのための矢印とボタンが提供されて、プロンプトを起動し、希望する資料のダウンロードを実現する。
【００８３】
装置は、好ましくは読みやすい形の電子形式で表示されることが可能な、印刷物の有効な置き換えとして意図される。効果の１つは、ユーザのいる場所に関係なく、電子フォーマットで例えば新聞の配達を毎日受け取ることができ、それにより大量の資料を紙に印刷せずに済むことである。環境面での利益は著しい。
【００８４】
この装置は、音声および音声効果を配信する能力、ならびに利用可能な場合には映像ストリームを表示する能力を含むことができる。
【００８５】
本発明は、本明細書に記載される通りの詳細事項に限定されず、本発明の範囲内で多数の変形と変更が可能である。
【図１】
2011503672.tif 000003
【図２】
2011503672.tif 000004
【図３】
2011503672.tif 000005
【図４】
2011503672.tif 000006
【図５】
2011503672.tif 000007
【図６】
2011503672.tif 000008
【国際調査報告】
2011503672.tif 000009